(57)【要約】【課題】両軸穴１０１、２０１に入れ込まれることにより両部材を回動可能に組み付け合わせる連結軸具Ｊにおいて、この入れ込みをなし易くしながら、この入れ込みによる両部材の組み付け状態を強固に維持できるようにする。【解決手段】雌パーツ１内に入れ込まれる脚軸２０ａを備えた雄パーツ２とを有している。雌パーツ１の筒一端部には、連通された両軸穴１０１、２０１への入れ込みに伴って、一旦内向きに弾性変形させられた後、入れ込みの終了位置において弾性復帰して第一軸穴１０１の穴口１０２に掛合部１０ｃを引っかける弾性掛合片１０が形成してある。雌パーツ１のこの掛合状態において、押し込み終了位置まで雌パーツ１内に押し込まれる雄パーツ２の脚軸２０ａによって、雌パーツ１の弾性掛合片１０の内向きの弾性変形が阻止されるようになっている。【選択図】図２
2005249111.tif 000002
【特許請求の範囲】
【請求項１】
第一軸穴を備えた一方部材と、
広径部と狭径部とを有し、かつ、両径部間に周回段差面を形成させてなる第二軸穴を備えた他方部材とを、
この第一軸穴にこの第二軸穴の狭径部側を連通させた状態で、第二軸穴の広径部側から両軸穴に入れ込まれて、この一方部材と他方部材とを軸連結させる連結軸具であって、
両筒端を解放させた筒状をなす雌パーツと、
第二軸穴の周回段差面への突き当たり部を有すると共にこの雌パーツ内に入れ込まれる脚軸を備えた雄パーツとを有していると共に、
雌パーツの筒一端部には、連通された両軸穴への前記入れ込みに伴って、一旦内向きに弾性変形させられた後、この筒一端部が第一軸穴の穴口から先に突き出されたこの入れ込みの終了位置において弾性復帰してこの第一軸穴の穴口に掛合部を引っかける弾性掛合片が形成してあり、
雌パーツのこの掛合状態において、押し込み終了位置まで雌パーツ内に押し込まれる雄パーツの脚軸によって、雌パーツの弾性掛合片の内向きの弾性変形が阻止されるようになっていることを特徴とする連結軸具。
【請求項２】
第一軸穴内にこの第一軸穴の穴軸線に沿った向きに形成された穴側溝又は穴側突条が形成されていると共に、
雌パーツにこの第一軸穴への入れ込みに伴って前記穴側溝に入り込む突条又は前記穴側突条が入り込む溝が形成されており、
かつ、第二軸穴の広径部内にこの第二軸穴の穴軸線に沿った向きに形成された穴側溝又は穴側突条が形成されていると共に、
雄パーツにこの第二軸穴への入れ込みに伴って前記穴側溝に入り込む突条又は前記穴側突条が入り込む溝が形成されていることを特徴とする請求項１記載の連結軸具。
【請求項３】
雄パーツが、
頭部と脚軸とを備えた主パーツと、
両筒端を解放させた筒状をなすと共に、内部に雌パーツを回転可能に納め、かつ、外部に突き当たり部を備えた副パーツとから構成されており、
主パーツの脚軸には、
雌パーツの内部に形成された突起が入り込む周回溝と、
この周回溝と脚軸の先端との間においてこの突起が入り込む凹所とが形成されており、
凹所に突起を入れ込ませた仮止め状態からの主パーツの押し込み終了位置への押し込みによってこの突起が凹所と周回溝との間を弾性変形によって乗り越えて周回溝に入り込むようになっていると共に、
主パーツの頭部及び副パーツのいずれか一方には、主パーツの押し込み方向にに沿って長く延びる凹条が設けられ、かつ、これらの他方には、この凹条に入り込む突所が形成されていることを特徴とする請求項１又は請求項２記載の連結軸具。
【請求項４】
蓋と本体とを有する電子機器であって、
この蓋と本体のいずれか一方に第一軸穴を有し、これらの他方に第二軸穴を有しており、
請求項１から請求項３のいずれか１項に記載の連結軸具によって前記蓋と本体とを組み付け合わせていることを特徴とする電子機器。
【発明の詳細な説明】
【技術分野】
【０００１】
この発明は、第一軸穴を備えた一方部材と第二軸穴を備えた他方部材とを、連通された両軸穴に入れ込まれることにより、回動可能に組み付け合わせる連結軸具、および、かかる連結軸具によって電子機器を構成する蓋と本体とを回動可能に組み合わされてなる電子機器に関する。
【背景技術】
【０００２】
抜け止め弾性爪を一端側に備えた係嵌組成体を、第一部材に設けた第一ヒンジ筒と、第二部材に設けた第二ヒンジ筒とを連通させた状態で、第一ヒンジ筒の側から両ヒンジ筒内に入れ込ませ、この抜け止め弾性爪を第二ヒンジ筒の前記連通側と反対の筒口部に掛合させて、第一部材と第二部材とを回動可能に組み付けるようにしたものとして特許文献１に示されるものがある。
【０００３】
しかるに、かかる係嵌組成体は、前記抜け止め弾性爪の作用によってのみ、前記第一部材と第二部材とを軸連結し得るものであるため、連通し合わされた第一ヒンジ筒と第二ヒンジ筒にこの係嵌組成体を入れ込みやすくすると、つまり、かかる抜け止め弾性爪を撓み易くさせると係嵌組成体による両部材の組み付け力が低下し、一方、この組み付け力を高めようとすると、係嵌組成体の前記入れ込みがし難くなる不都合を有するものであった。
【特許文献１】特開２００２−１５５９２７号公報
【発明の開示】
【発明が解決しようとする課題】
【０００４】
この発明が解決しようとする主たる問題点は、第一軸穴を備えた一方部材と第二軸穴を備えた他方部材とを、連通された両軸穴に入れ込まれることにより、回動可能に組み付け合わせる連結軸具において、この入れ込みをなし易くしながら、この入れ込みによる両部材の組み付け状態を強固に維持できるようにする点にある。
【課題を解決するための手段】
【０００５】
前記問題点を解決するために、この発明にあっては連結軸具が以下の（１）〜（５）の構成を備えたものとした。
（１）第一軸穴を備えた一方部材と、
広径部と狭径部とを有し、かつ、両径部間に周回段差面を形成させてなる第二軸穴を備えた他方部材とを、
この第一軸穴にこの第二軸穴の狭径部側を連通させた状態で、第二軸穴の広径部側から両軸穴に入れ込まれて、この一方部材と他方部材とを軸連結させる連結軸具であって、
（２）両筒端を解放させた筒状をなす雌パーツと、
（３）第二軸穴の周回段差面への突き当たり部を有すると共にこの雌パーツ内に入れ込まれる脚軸を備えた雄パーツとを有していると共に、
（４）雌パーツの筒一端部には、連通された両軸穴への前記入れ込みに伴って、一旦内向きに弾性変形させられた後、この筒一端部が第一軸穴の穴口から先に突き出されたこの入れ込みの終了位置において弾性復帰してこの第一軸穴の穴口に掛合部を引っかける弾性掛合片が形成してあり、
（５）雌パーツのこの掛合状態において、押し込み終了位置まで雌パーツ内に押し込まれる雄パーツの脚軸によって、雌パーツの弾性掛合片の内向きの弾性変形が阻止されるようになっている。
【０００６】
連通された両軸穴に入れ込まれて入れ込み終了位置において掛合部を第一軸穴の穴口に引っかけた雌パーツのこの掛合状態は、この雌パーツ内への雄パーツの脚軸の押し込みによってこの掛合部が形成された弾性掛合片の内向きの弾性変形を阻止することにより安定的に確保させることができる。雌パーツの弾性掛合片を連通された両軸穴への入れ込みに際して弾性変形し易く構成しておいても、雄パーツのかかる押し込みによって雌パーツの前記掛合状態、つまり、一方部材と他方部材との連結軸具を介した軸連結状態を強固に維持することができる。すなわち、かかる連結軸具によれば、前記両軸穴に雌パーツを入れ込み掛合させ易くできると共に、この後雌パーツ内に雄パーツの脚軸を押し込み切らせた後は、両軸穴内から雌パーツが抜け出す事態を確実に阻止することができる。
【０００７】
前記第一軸穴内にこの第一軸穴の穴軸線に沿った向きに形成された穴側溝又は穴側突条が形成されていると共に、
雌パーツにこの第一軸穴への入れ込みに伴って前記穴側溝に入り込む突条又は前記穴側突条が入り込む溝が形成されており、
かつ、第二軸穴の広径部内にこの第二軸穴の穴軸線に沿った向きに形成された穴側溝又は穴側突条が形成されていると共に、
雄パーツにこの第二軸穴への入れ込みに伴って前記穴側溝に入り込む突条又は前記穴側突条が入り込む溝が形成されているようにしておくこともある。
【０００８】
このようにした場合、雌パーツと一方部材とを一体化させることができると共に、雄パーツと他方部材とを一体化させることができ、他方部材側を非可動側として一方部材側を回動させようとする場合には、雄パーツの脚軸を中心としてこの一方部材側を回動させることができ、また、一方部材側を非可動側として他方部材側を回動させようとする場合には、雌パーツの内面を案内としてこの他方部材側を回動させることができる。
【０００９】
また、前記雄パーツが、
頭部と脚軸とを備えた主パーツと、
両筒端を解放させた筒状をなすと共に、内部に雌パーツを回転可能に納め、かつ、外部に突き当たり部を備えた副パーツとから構成されており、
主パーツの脚軸には、
雌パーツの内部に形成された突起が入り込む周回溝と、
この周回溝と脚軸の先端との間においてこの突起が入り込む凹所とが形成されており、
凹所に突起を入れ込ませた仮止め状態からの主パーツの押し込み終了位置への押し込みによってこの突起が凹所と周回溝との間を弾性変形によって乗り越えて周回溝に入り込むようになっていると共に、
主パーツの頭部及び副パーツのいずれか一方には、主パーツの押し込み方向にに沿って長く延びる凹条が設けられ、かつ、これらの他方には、この凹条に入り込む突所が形成されているようにしておくこともある。
【００１０】
このようにした場合、第一に、仮止め状態においては、主パーツの脚軸を中心に雌パーツが回転しないように、主パーツと雌パーツとを分離できないように組み合わせることができると共に、このように組み合わされた主パーツに対し前記凹条および突所の作用によって副パーツが雌パーツの外面を案内面として回転しないようにしておくことができ、かかる仮止め状態においては、各パーツがいずれも可動しないようにしておくことができる。そして、この仮止め状態において、連通させ合わされた第一軸穴と第二軸穴とに連結軸具を入れ込ませることにより、雌パーツの掛合部を第一軸穴の穴口に引っかけて、一方部材と他方部材とを仮組みすることができる。この仮組み状態においては前記各パーツがいずれも可動しないことから、一方部材と他方部材とが連結軸具によって組み合わされながら回動されないようにすることができ、一方部材と他方部材のその余のセッティングなどを都合良くなすことができる。
【００１１】
また、第二に、前記仮止め状態においては前記各パーツがいずれも可動しないことから、第一軸穴に形成された穴側溝又は穴側突条に雌パーツの突条又は溝が整合し、かつ、第二軸穴に形成された穴側溝又は穴側突条に雄パーツの突条又は溝が整合する向きを維持したまま、連通された第一軸穴と第二軸穴とに容易に連結軸具を入れ込ませることができる。
【００１２】
また、第三に、前記仮止め状態から雄パーツを構成する主パーツを押し込み終了位置まで押し込むことにより、雌パーツの内部に形成された突起を周回溝に入れ込ませることができ、これにより、雄パーツを構成する主パーツの脚軸を中心として雌パーツが回転又は相対的に回転可能となった状態（以下、本止め状態という。）をワンタッチで作り出すことができる。
【００１３】
また、蓋と本体とを有する電子機器であって、
この蓋と本体のいずれか一方に第一軸穴を有し、これらの他方に第二軸穴を有するものを、
以上に説明した連結軸具によって前記蓋と本体とを組み付け合わせて構成させておくこともある。
【００１４】
このように構成された電子機器は、かかる蓋と本体とを仮組みし易く、この仮組み状態において蓋と本体との位置決めができるものであり、さらに、本止め状態においては蓋と本体とを強固に回動可能に組み付け合わさせものとなる。
【発明の効果】
【００１５】
この発明にかかる連結軸具によれば、連通され合わされた第一部材の第一軸穴と第二部材の第二軸穴とに入れ込ませ易く、また、この入れ込み後に雌パーツ内に雄パーツを押し込み切ることにより、両部材の組み付け状態を強固に維持することができる。
【発明を実施するための最良の形態】
【００１６】
以下、図１ないし図２０に基づいて、この発明を実施するための最良の形態について説明する。
【００１７】
なお、ここで図１は、二カ所の第一軸穴１０１を有する一方部材１００と二カ所の第二軸穴２０１を有する他方部材２００とを、組み合わせた状態において、互いに連通し合う一方の第一軸穴１０１と第二軸穴２０１とに仮止め状態にある連結軸具Ｊを入れ込ませた状態を、また、図２は、このように入れ込まれた連結軸具Ｊの本止め状態を、それぞれ示している。また、図３は、第二軸穴２０１を、図４は、第一軸穴１０１を、それぞれ示しており、また、図５は、両軸穴１０１、２０１を連通させた状態を示している。（図３および図４は、図５における右側から両軸穴１０１、２０１を個別に見た状態として表している。）また、図６ないし図８は、仮止め状態にある連結軸具Ｊをそれぞれ表しており、また、図９ないし図１２は、雌パーツ１を、図１３ないし図１５は、雄パーツ２を構成する主パーツ２０を、図１６ないし図２０は、雄パーツ２を構成する副パーツ２１を、それぞれ示している。
【００１８】
この実施の形態にかかる連結軸具Ｊは、第一軸穴１０１を備えた一方部材１００と第二軸穴２０１を備えた他方部材２００とを、連通された両軸穴１０１、２０１に入れ込まれることにより、回動可能に組み付け合わせるものである。すなわち、かかる連結軸具Ｊは、各種の物品のヒンジ部を構成させるものである。
【００１９】
また、この実施の形態にかかる電子機器は、かかる連結軸具Ｊによって電子機器を構成する蓋と本体とを回動可能に組み合わされてなるものである。かかる電子機器としては、携帯電話機器やノート型のパーソナルコンピュータなどを予定するものである。より具体的には、携帯電話機器にあっては、蓋（液晶表示部の備えられた部材）と本体（プッシュボタンなどの操作部の備えられた部材）とを前記連結軸具Ｊによって回動可能に組み合わさせてなるものを、ノート型のパーソナルコンピュータにあっては、蓋（液晶表示部の備えられた部材）と本体（キーボードの備えられた部材）とを前記連結軸具Ｊによって回動可能に組み合わさせてなるものを、予定するものである。
【００２０】
かかる連結軸具Ｊは、
第一軸穴１０１を備えた一方部材１００と、
広径部２０２と狭径部２０３とを有し、かつ、両径部２０２、２０３間に周回段差面２０４を形成させてなる第二軸穴２０１を備えた他方部材２００とを、
この第一軸穴１０１にこの第二軸穴２０１の狭径部２０３側を連通させた状態で、第二軸穴２０１の広径部２０２側から両軸穴１０１、２０１に入れ込まれて、この一方部材１００と他方部材２００とを軸連結させるものである。
【００２１】
かかる連結軸具Ｊは、雌パーツ１と雄パーツ２とを有するものとして構成されている。
【００２２】
雌パーツ１は、両筒端を解放させた筒状をなすように構成されている。
【００２３】
一方、雄パーツ２は、第二軸穴２０１の周回段差面２０４への突き当たり部２１ａを有すると共にこの雌パーツ１内に入れ込まれる脚軸２０ａを備えている。
【００２４】
また、雌パーツ１の筒一端部には、連通された両軸穴１０１、２０１への前記入れ込みに伴って、一旦内向きに弾性変形させられた後、この筒一端部が第一軸穴１０１の穴口から先に突き出されたこの入れ込みの終了位置において弾性復帰してこの第一軸穴１０１の穴口１０２に掛合部１０ｃを引っかける弾性掛合片１０が形成してある。
【００２５】
そして、雌パーツ１のこの掛合状態において、押し込み終了位置まで雌パーツ１内に押し込まれる雄パーツ２の脚軸２０ａによって、雌パーツ１の弾性掛合片１０の内向きの弾性変形が阻止されるようになっている。
【００２６】
連通された両軸穴１０１、２０１に入れ込まれて入れ込み終了位置において掛合部１０ｃを第一軸穴１０１の穴口１０２に引っかけた雌パーツ１のこの掛合状態は、この雌パーツ１内への雄パーツ２の脚軸２０ａの押し込みによってこの掛合部１０ｃが形成された弾性掛合片１０の内向きの弾性変形を阻止することにより安定的に確保させることができる。雌パーツ１の弾性掛合片１０を連通された両軸穴１０１、２０１への入れ込みに際して弾性変形し易く構成しておいても、雄パーツ２のかかる押し込みによって雌パーツ１の前記掛合状態、つまり、一方部材１００と他方部材２００との連結軸具Ｊを介した軸連結状態を強固に維持することができる。すなわち、かかる連結軸具Ｊによれば、前記両軸穴１０１、２０１に雌パーツ１を入れ込み掛合させ易くできると共に、この後雌パーツ１内に雄パーツ２の脚軸２０ａを押し込み切らせた後は、両軸穴１０１、２０１内から雌パーツ１が抜け出す事態を確実に阻止することができる。
【００２７】
また、この実施の形態にあっては、
前記第一軸穴１０１内にこの第一軸穴１０１の穴軸線に沿った向きに形成された穴側溝又は穴側突条が形成されていると共に、
雌パーツ１にこの第一軸穴１０１への入れ込みに伴って前記穴側溝に入り込む突条又は前記穴側突条が入り込む溝が形成されており、
かつ、第二軸穴２０１の広径部２０２内にこの第二軸穴２０１の穴軸線に沿った向きに形成された穴側溝又は穴側突条が形成されていると共に、
雄パーツ２にこの第二軸穴２０１への入れ込みに伴って前記穴側溝に入り込む突条又は前記穴側突条が入り込む溝が形成されている。
【００２８】
これにより、この実施の形態にあっては、雌パーツ１と一方部材１００とを一体化させることができると共に、雄パーツ２と他方部材２００とを一体化させることができ、他方部材２００側を非可動側として一方部材１００側を回動させようとする場合には、雄パーツ２の脚軸２０ａを中心としてこの一方部材１００側を回動させることができ、また、一方部材１００側を非可動側として他方部材２００側を回動させようとする場合には、雌パーツ１の内面を案内としてこの他方部材２００側を回動させることができる。
【００２９】
また、後述するように、雄パーツ２が他方部材２００の外面の一部をなす頭部外面２０ｅを備えた頭部２０ｄを有している場合には、前記突条又は溝によって他方部材２００の第二軸穴２０１への雄パーツ２の入れ込みに方向性を生じさせることができることから、この第二軸穴２０１への雄パーツ２の入れ込みによって雄パーツ２の頭部外面２０ｅと他方部材２００の外面２０５とを意匠性良く整合させることができる特長を有している。
【００３０】
なお、図示の例にあっては、
前記第一軸穴１０１内にこの第一軸穴１０１の穴軸線に沿った向きに形成された穴側溝１０３が形成されていると共に、
雌パーツ１にこの第一軸穴１０１への入れ込みに伴って前記穴側溝１０３に入り込む突条１１を形成させており、
また、第二軸穴２０１の広径部２０２内にこの第二軸穴２０１の穴軸線に沿った向きに形成された穴側溝２０６が形成されていると共に、
雄パーツ２にこの第二軸穴２０１への入れ込みに伴って前記穴側溝２０６に入り込む突条２１ｂを形成させるようにしている。
【００３１】
また、この実施の形態にあっては、
雄パーツ２を、
頭部２０ｄと脚軸２０ａとを備えた主パーツ２０と、
両筒端を解放させた筒状をなすと共に、内部に雌パーツ１を回転可能に納め、かつ、外部に突き当たり部２１ａを備えた副パーツ２１とから構成させるようにしている。
【００３２】
また、主パーツ２０の脚軸２０ａには、
雌パーツ１の内部に形成された突起１２が入り込む周回溝２０ｂと、
この周回溝２０ｂと脚軸２０ａの先端との間においてこの突起１２が入り込む凹所２０ｃとが形成されている。
【００３３】
そして、この凹所２０ｃに突起１２を入れ込ませた仮止め状態からの主パーツ２０の押し込み終了位置への押し込みによってこの突起１２が凹所２０ｃと周回溝２０ｂとの間を弾性変形によって乗り越えて周回溝２０ｂに入り込むようになっている。
【００３４】
それと共に、主パーツ２０の頭部２０ｄ及び副パーツ２１のいずれか一方には、主パーツ２０の押し込み方向にに沿って長く延びる凹条２１ｃが設けられ、かつ、これらの他方には、この凹条２１ｃに入り込む突所２０ｆが形成されている。
【００３５】
これにより、この実施の形態にかかる連結軸具Ｊによれば、第一に、仮止め状態においては、主パーツ２０の脚軸２０ａを中心に雌パーツ１が回転しないように、主パーツ２０と雌パーツ１とを分離できないように組み合わせることができると共に、このように組み合わされた主パーツ２０に対し前記凹条２１ｃおよび突所２０ｆの作用によって副パーツ２１が雌パーツ１の外面を案内面として回転しないようにしておくことができ、かかる仮止め状態においては、各パーツがいずれも可動しないようにしておくことができる。そして、この仮止め状態において、連通させ合わされた第一軸穴１０１と第二軸穴２０１とに連結軸具Ｊを入れ込ませることにより、雌パーツ１の掛合部１０ｃを第一軸穴１０１の穴口１０２に引っかけて、一方部材１００と他方部材２００とを仮組みすることができる。この仮組み状態においては前記各パーツがいずれも可動しないことから、一方部材１００と他方部材２００とが連結軸具Ｊによって組み合わされながら回動されないようにすることができ、一方部材１００と他方部材２００のその余のセッティングなどを都合良くなすことができる。例えば、左右にそれぞれ、第一軸穴１０１と第二軸穴２０１とを配しており、この左右に配された第一軸穴１０１と第二軸穴２０１とにそれぞれ連結軸具Ｊを入れ込ませて一方部材１００と他方部材２００とを回動可能に組み合わされるように構成された物品（図１）のこの組み合わせにあたり、右側の第一軸穴１０１と第二軸穴２０１とに仮止め状態の連結軸具Ｊを入れ込ませた段階でこの一方部材１００と他方部材２００とを組み合わされながら回動されない状態に置くことができることから、この状態を利用して都合良く左側の第一軸穴１０１と第二軸穴２０１とに連結軸具Ｊを入れ込ませることができる。（図１）
【００３６】
また、第二に、前記仮止め状態においては前記各パーツがいずれも可動しないことから、第一軸穴１０１に形成された穴側溝又は穴側突条に雌パーツ１の突条又は溝が整合し、かつ、第二軸穴２０１に形成された穴側溝又は穴側突条に雄パーツ２の突条又は溝が整合する向きを維持したまま、連通された第一軸穴１０１と第二軸穴２０１とに容易に連結軸具Ｊを入れ込ませることができる。
【００３７】
また、第三に、前記仮止め状態から雄パーツ２を構成する主パーツ２０を押し込み終了位置まで押し込むことにより、雌パーツ１の内部に形成された突起１２を周回溝２０ｂに入れ込ませることができ、これにより、雄パーツ２を構成する主パーツ２０の脚軸２０ａを中心として雌パーツ１が回転又は相対的に回転可能となった状態（以下、本止め状態という。）をワンタッチで作り出すことができる。この本止め状態において一方部材１００と他方部材２００とは回動可能に組み付け合わされることになる。（図２）
【００３８】
（雌パーツ１）
図示の例にあっては、雌パーツ１は、両筒端を解放させた円筒状をなすように構成されている。
【００３９】
この雌パーツ１の筒一端部には、前記弾性掛合片１０が形成されている。図示の例では、この雌パーツ１の筒一端において溝一端を外方に解放させてこの雌パーツ１の筒軸線に沿った向きに延びる一対の割溝１３、１３によって区分されたこの一対の割溝１３、１３間にある雌パーツ１の一部に幅狭の弾性掛合片１０ｂが形成されると共に、一対の幅狭の弾性掛合片１０ｂの間に幅広の弾性掛合片１０ａが形成されている。各弾性掛合片１０ａ、１０ｂの先端外面部に、前記掛合部１０ｃが形成されている。かかる掛合部１０ｃは、この雌パーツ１の筒他端側に向いた掛合面１０ｄを持った突起状をなすように構成されている。また、弾性掛合片１０の先端に向けられた側を掛合部１０ｃの頂端に向けて次第に高まる傾斜面１０ｅとしており、第一軸穴１０１への雌パーツ１の入れ込みに際してこの傾斜面１０ｅによって弾性掛合片１０をスムースに撓み込ませるようになっている。
【００４０】
また、図示の例にあっては、一方部材１００に形成された第一軸穴１０１は、前記掛合部１０ｃが引っかけられる穴口１０２を環状隆起部１０４によってこれと反対の穴口よりも狭めさせており、雌パーツ１の一対の掛合部１０ｃの頂端間の寸法がこの環状隆起部１０４の形成位置での第一軸穴１０１の内径よりもやや大きくなるようにしてある。
【００４１】
また、図示の例にあっては、雌パーツ１の外面部に、前記幅狭の弾性掛合片１０ｂの基部に条一端を位置させて雌パーツ１の筒軸線に沿った向きに延びる突条１１が形成されており、第一軸穴１０１に形成された穴側溝１０３に、この第一軸穴１０１への雌パーツ１の入れ込みに伴ってこの突条１１が入り込みこれにより雌パーツ１と一方部材１００とが一体化されるようになっている。図示の例では、穴側溝１０３は、前記環状隆起部１０４を前記掛合部１０ｃが引っかけられる第一軸穴１０１の穴口１０２縁部との間に間隔を残して割欠くように形成された割欠き部によって形成されている。
【００４２】
また、図示の例にあっては、雌パーツ１における筒他端に外向きに張り出す周回フランジ１４が形成されている。また、前記突条１１におけるこの雌パーツ１の筒他端側に向けられた条他端の先に小突起１５が形成されている。そして、図示の例にあっては、雄パーツ２を構成する副パーツ２１の筒一端側の内部にこの筒一端に向いた第一周回段差面２１ｄが形成されていると共に、この副パーツ２１の筒他端側の内部にこの筒他端に向いた第二周回段差面２１ｅが形成されており、雌パーツ１は、この副パーツ２１の筒他端側から第二周回段差面２１ｅに周回フランジ１４を突き当てる位置まで入れ込まれ、この入れ込みに際して第一周回段差面２１ｄを形成させる隆起部を弾性変形によって小突起１５に乗り越えさせて、この入れ込み終了位置において第一周回段差面２１ｄに前記小突起１５を引っかけさせるようになっている。
【００４３】
また、図示の例にあっては、かかる雌パーツ１における小突起１５の形成位置において、雌パーツ１の内部に前記突起１２が形成されている。
【００４４】
（雄パーツ２／主パーツ２０）
図示の例にあっては、雄パーツ２を構成する主パーツ２０は、円筒状をなす脚軸２０ａと円板状をなす頭部２０ｄとを備えている。脚軸２０ａは頭部２０ｄの一面のほぼ中央に脚軸２０ａの軸一端を一体に接合させている。この脚軸２０ａの外面部にこの脚軸２０ａの軸線を巡る向きの前記周回溝２０ｂが形成されていると共に、この脚軸２０ａの軸他端と周回溝２０ｂとの間に、前記凹所２０ｃが形成されている。
【００４５】
また、図示の例にあっては、頭部２０ｄの直径方向両側にそれぞれ、この頭部２０ｄの一面側の縁部に一端を一体に連接させて脚軸２０ａの突き出し方向と同じ向きに突き出す板状片２０ｇが形成されており、この板状片２０ｇが前記突所２０ｆとして機能するようになっている。
【００４６】
（雄パーツ２／副パーツ２１）
図示の例にあっては、雄パーツ２を構成する副パーツ２１は、両筒端を解放させた円筒状体として構成されている。そして、その内部に前記第一周回段差面２１ｄと、第二周回段差面２１ｅとを有している。
【００４７】
また、かかる副パーツ２１の筒他端側の外面部には、周回状隆起部２１ｆが形成されており、この周回状隆起部２１ｆによって、第二軸穴２０１内に形成された周回段差面２０４への突き当たり部２１ａが形成されている。
【００４８】
また、図示の例にあっては、かかる副パーツ２１の周回状隆起部２１ｆに条一端を連接させてこの副パーツ２１の筒軸線に沿った向きに延びる突条２１ｂが形成されており、第二軸穴２０１に形成された穴側溝２０６に、この第二軸穴２０１への雄パーツ２の入れ込みに伴ってこの突条２１ｂが入り込みこれにより雄パーツ２と他方部材２００とが一体化されるようになっている。図示の例では、穴側溝２０６は、前記第二軸穴２０１における狭径部２０３に形成されている。この穴側溝２０６は、第二軸穴２０１の周回段差面２０４と第一軸穴１０１との連通側となる狭径部２０３の穴口とにおいてそれぞれ溝端を解放させており、また、この第二軸穴２０１の広径部２０２の穴内面と溝底を同面上に位置させるように形成されている。
【００４９】
また、図示の例にあっては、副パーツ２１の周回状隆起部２１ｆが副パーツ２１の直径方向両側位置において凹条２１ｃによって分断されており、この凹条２１ｃに主パーツ２０の突所２０ｆとなる板状片２０ｇが主パーツ２０の脚軸２０ａを雌パーツ１に仮止めさせた状態において入り込むようになっている。この凹条２１ｃの幅は突所２０ｆとなる板状片２０ｇの幅とほぼ等しく、凹条２１ｃに突所２０ｆを入り込ませた状態においては、主パーツ２０と副パーツ２１とは回転方向においてガタなく一体化されるようになっている。また、凹条２１ｃは、前記仮止め状態において、突所２０ｆとなる板状片２０ｇの先端と凹条２１ｃの終端との間に前記本止め状態となる位置までの主パーツ２０の押し込みを許容する間隔を持った長さを持っており、凹条２１ｃの始端側に突所２０ｆとなる板状片２０ｇの先端側を入り込ませた位置から凹条２１ｃの終端にこの板状片２０ｇの先端を近接させる位置（すなわち、前記押し込み終了位置）まで、主パーツ２０を押し込み移動させることができるようになっている。
【００５０】
図示の例にあっては、この副パーツ２１内に前記のように雌パーツ１を入れ込ませ切った後、この雌パーツ１の突起１２を主パーツ２０の脚軸２０ａの凹所２０ｃに入り込ませる位置までこの雌パーツ１内に脚軸２０ａを入れ込ませることで、副パーツ２１の凹条２１ｃに主パーツ２０の突所２０ｆが入り込み、主パーツ２０と副パーツ２１とが一体化されると共に、この主パーツ２０と副パーツ２１とからなる雄パーツ２と雌パーツ１とが前記仮止め状態に置かれるようになっている。
【００５１】
この仮止め状態において、連通され合わされた第一軸穴１０１と第二軸穴２０１とに副パーツ２１の突き当たり部２１ａが第二軸穴２０１の周回段差面２０４に突き当てられる位置まで連結軸具Ｊを入れ込ませることで、第一軸穴１０１の穴口１０２に雌パーツ１の掛合部１０ｃが引っかけられ、一方部材１００と他方部材２００とが仮組みされる。
【００５２】
この仮組み状態から、雄パーツ２を構成する主パーツ２０を押し込み終了位置まで押し込ませることにより、雌パーツ１の弾性掛合片１０の内向きの弾性変形が阻止されると共に、雄パーツ２の脚軸２０ａに形成された周回溝２０ｂに雌パーツ１の突起１２が入り込み、雄パーツ２を構成する主パーツ２０の外面と副パーツ２１の内面との間で両面に案内された状態で雌パーツ１が回転又は相対的に回転可能となるようになっている。
【００５３】
以上に説明した各パーツにおける弾性変形特性を持つ部分への所用の弾性変形特性の付与は、これら各パーツをプラスチック成形品とすることで容易に確保することができる。また、これら各パーツをプラスチック成形品としておけば、雌パーツ１と雄パーツ２との接触箇所における摩擦抵抗を効果的に低減させることができ、雌パーツ１の前記回転又は相対的な回転を円滑に行わしむることができる。
【００５４】
蓋と本体とを有する電子機器における、この蓋と本体のいずれか一方に前記第一軸穴１０１を形成させ、かつ、これらの他方に前記第二軸穴２０１を形成させると共に、以上に説明した連結軸具Ｊによってかかる蓋と本体とを組み付け合わせるようにして電子機器を構成させれば、この電子機器を、かかる蓋と本体とを仮組みし易く、この仮組み状態において蓋と本体との位置決めができ、さらに、本止め状態においては蓋と本体とを強固に回動可能に組み付け合わさせるものとすることができる。
【図面の簡単な説明】
【００５５】
【図１】連結軸具Ｊの使用状態を示した要部破断構成図
【図２】連結軸具Ｊの使用状態を示した要部破断構成図
【図３】他方部材２００における第二軸穴２０１の形成箇所の側面図
【図４】一方部材１００における第一軸穴１０１の形成箇所の側面図
【図５】一方部材１００における第一軸穴１０１の形成箇所および他方部材２００における第二軸穴２０１の形成箇所の断面図
【図６】連結軸具Ｊの要部破断正面図
【図７】同要部破断平面図
【図８】同左側面図
【図９】雌パーツ１の正面図
【図１０】同要部破断底面図
【図１１】同右側面図
【図１２】同左側面図
【図１３】主パーツ２０の正面図
【図１４】同要部破断平面図
【図１５】同左側面図
【図１６】副パーツ２１の要部破断正面図
【図１７】同平面図
【図１８】同要部破断底面図
【図１９】同右側面図
【図２０】同左側面図
【符号の説明】
【００５６】
１００  一方部材
１０１  第一軸穴
１０２  穴口
２００  他方部材
２０１  第二軸穴
２０２  広径部
２０３  狭径部
２０４  周回段差面
１  雌パーツ
１０  弾性掛合片
１０ｃ  掛合部
２  雄パーツ
２０ａ  脚軸
２１ａ  突き当たり部
【図１】
2005249111.tif 000003
【図２】
2005249111.tif 000004
【図３】
2005249111.tif 000005
【図４】
2005249111.tif 000006
【図５】
2005249111.tif 000007
【図６】
2005249111.tif 000008
【図７】
2005249111.tif 000009
【図８】
2005249111.tif 000010
【図９】
2005249111.tif 000011
【図１０】
2005249111.tif 000012
【図１１】
2005249111.tif 000013
【図１２】
2005249111.tif 000014
【図１３】
2005249111.tif 000015
【図１４】
2005249111.tif 000016
【図１５】
2005249111.tif 000017
【図１６】
2005249111.tif 000018
【図１７】
2005249111.tif 000019
【図１８】
2005249111.tif 000020
【図１９】
2005249111.tif 000021
【図２０】
2005249111.tif 000022